(57)【要約】【課題】机やテーブル等の脚部下方端部と床面との間に介在或いは配設させることで、机やテーブルをずらした時に発生する床面のキズを防止するだけでなく、机やテーブル等の重量により発生する床面の凹みをもより効果的に防止することが出来る床ガードを提供する。【解決手段】机やテーブル等の脚部下方端部と床面との間に介在或いは配設される緩衝部材であって、平板状の合成樹脂製床ガード本体と該床ガード本体の裏面に接着剤等により取り付け固定された平板状の合成樹脂製発砲体であるクッション部から成り、床ガード本体表面側に形成され、前記脚部下方端部を載置する床ガード側作用部の面積を脚部側作用部面積より比較的大きく設定する。【選択図】図１
2011156322.tif 000002
【特許請求の範囲】
【請求項１】
机やテーブル等の脚部下方端部と床面との間に介在或いは配設される緩衝部材であって、平板状の合成樹脂製床ガード本体と該床ガード本体の裏面に接着剤等により取り付け固定された平板状の合成樹脂製発砲体であるクッション部から成り、床ガード本体表面側に形成され、前記脚部下方端部を載置する床ガード側作用部の面積を脚部側作用部面積より比較的大きく設定したことを特徴とする床ガード。
【請求項２】
床ガード本体の材料をポリプロピレンとし、クッション部の材料をポリエチレン製発砲体としたことを特徴とする請求項１記載の床ガード。
【請求項３】
床ガード本体の厚さが２ｍｍ〜３ｍｍで、硬度がゴム硬度計に於いて８５°〜９０°、曲げ強度に於いてはＪＩＳＫ７２２１でもって１４．５ＭＰＡ〜１６．５ＭＰＡであり、クッション部の厚さを２ｍｍ〜３ｍｍとした時の床ガード側作用部の面積と脚部側作用部面積の比率が１０：２から１０：４であることを特徴とする請求項１乃至２記載の床ガード。
【請求項４】
床ガード側作用部である平坦状凹溝部或いは平坦状部の中央部に浅い平坦状凹溝部を形成したことを特徴とする請求項１乃至請求項３記載の床ガード。
【請求項５】
床ガードとしての機能が損なわれない範囲で、床ガード本体及びクッション部の一部をカット或いは孔明したことを特徴とする請求項１乃至請求項３記載の床ガード。
【発明の詳細な説明】
【技術分野】
【０００１】  本発明は、机やテーブル等の脚部下方端部と床面との間に介在或いは配設され、机やテーブル等の重量により発生する床面の凹みや机やテーブルをずらした時に発生する床面のキズを防止する床ガードに関するものである。
【背景技術】
【０００２】  従来より、机やテーブル等の脚部下方端部と床面との間に介在或いは配設されて、床面のキズ発生を防止する床ガードに類するものが知られている。図１３に示す床ガード７は、その代表例であって、ある程度柔軟性のあるゴム或いはプラスチックから作られた、略コップ状を呈したものとなっている。該床ガード７は、脚部８の端部に嵌着された状態で使用される。これにより、脚部８端部と床面との間には床ガード７が介在することになり、床面のキズを防止することになる。【０００３】  然し、従来技術である床ガード７は、単に脚部８端部と床面の直接接触を防止するだけであって、脚部が負荷する机やテーブル等の重量は、床面にそのまま伝達されることになる。即ち、脚部下方端部の床面との当接部分である作用部が、そのまま床ガード７を介して床面に当接することになり、脚部が負荷する重量は、床面がそのまま負荷することになる。従って、机やテーブル等をずらした時のキズ発生を防止する点では効果があるものの、重量により発生する床面の凹みを防止する点に於いては、必ずしも満足するものではない。
【発明の概要】
【発明が解決しようとする課題】
【０００４】  本発明は、こうした従来技術の問題点に鑑み、机やテーブル等の脚部下方端部と床面との間に介在或いは配設させることで、机やテーブルをずらした時に発生する床面のキズを防止するだけでなく、机やテーブル等の重量により発生する床面の凹みをもより効果的に防止することが出来る床ガードを提供することを目的としている。
【課題を解決するための手段】
【０００５】  上記目的を達成するために、請求項１記載の発明は、机やテーブル等の脚部下方端部と床面との間に介在或いは配設される緩衝部材であって、平板状の合成樹脂製床ガード本体と該床ガード本体の裏面に接着剤等により取り付け固定された平板状の合成樹脂製発砲体であるクッション部から成り、床ガード本体表面側に形成され、前記脚部下方端部を載置する床ガード側作用部の面積を脚部側作用部面積より比較的大きく設定したものである。このように構成したことにより、脚部から負荷される圧力は床ガード本体及びクッション部に於いて分散されることから、床面への圧力が軽減され、床面の凹みを防止すると共にキズの発生を防止することが出来る。【０００６】  請求項２記載の発明は、床ガード本体の材料をポリプロピレンとし、クッション部の材料をポリエチレン製発砲体としたものである。このように構成したことにより、比較的安価で汎用性のある材料となり、安定した材料確保が可能となるばかりでなく、安価な床ガードを提供すること出来るようになる。【０００７】  請求項３記載の発明は、床ガード本体の厚さが２ｍｍ〜３ｍｍで、硬度がゴム硬度計に於いて８５°〜９０°、曲げ強度に於いてはＪＩＳＫ７２２１でもって１４．５ＭＰＡ〜１６．５ＭＰＡであり、クッション部の厚さを２ｍｍ〜３ｍｍとした時の床ガード側作用部の面積と脚部側作用部面積の比率が１０：２から１０：４としたものである  このように構成したことにより、安定した品質を確保することが出来るようになる。【０００８】  請求項４記載の発明は、床ガード側作用部である平坦状凹溝部或いは平坦状部の中央部に浅い平坦状凹溝部を形成したものである。このように構成したことにより、脚部下方端部は、比較的広い床ガード側作用部ではなく、ある程度範囲が規制された平坦状凹溝部に載置されるようになり、ズレを防止することが可能となる。【０００９】  請求項５記載の発明は、床ガードとしての機能が損なわれない範囲で、床ガード本体及びクッション部の一部をカット或いは孔明したものである。このように構成したことにより、材料の節減が図れるようになり、更に安価な床ガードを提供することが出来る。
【発明の効果】
【００１０】  本発明は、以上説明したように構成されているので、下記に説明するような効果を奏する。【００１１】  本発明による床ガードは、机やテーブル等の脚部下方端部と床面との間に介在或いは配設される緩衝部材であって、平板状の合成樹脂製床ガード本体と該床ガード本体の裏面に接着剤等により取り付け固定された平板状の合成樹脂製発砲体であるクッション部から成り、床ガード本体表面側に形成され、前記脚部下方端部を載置する床ガード側作用部の面積を脚部側作用部面積より比較的大きく設定したので、床面への圧力が軽減され、床面の凹みを防止すると共にキズの発生を防止することが出来る。【００１２】  更に、本発明による床ガードは、床ガード本体の材料をポリプロピレンとし、クッション部の材料をポリエチレン製発砲体としたので、安定した材料確保が可能となるばかりでなく、安価な床ガードを提供すること出来るようになる。【００１３】  更に、本発明による床ガードは、床ガード本体の厚さが２ｍｍ〜３ｍｍで、硬度がゴム硬度計に於いて８５°〜９０°、曲げ強度に於いてはＪＩＳＫ７２２１でもって１４．５ＭＰＡ〜１６．５ＭＰＡであり、クッション部の厚さを２ｍｍ〜３ｍｍとした時の床ガード側作用部の面積と脚部側作用部面積の比率が１０：２から１０：４としたので、安定した品質を確保することが出来るようになる。【００１４】  更に、本発明による床ガードは、床ガード側作用部である平坦状凹溝部或いは平坦状部の中央部に浅い平坦状凹溝部を形成したので、ある程度範囲が規制された平坦状凹溝部に載置されるようになり、ズレを防止することが可能となる。【００１５】  更に、本発明による床ガードは、床ガードとしての機能が損なわれない範囲で、床ガード本体及びクッション部の一部をカット或いは孔明したので、材料の節減が図れるようになり、更に安価な床ガードを提供することが出来る。
【図面の簡単な説明】
【００１６】
【図１】本発明による床ガードの一実施形態を示す平面図である。
【図２】図１のＡ−Ａ断面図である。
【図３】本発明による床ガードの他の実施形態を示す平面図である。
【図４】本発明による床ガードの更に他の実施形態を示す平面図である。
【図５】本発明による床ガードの更に他の実施形態を示す平面図である。
【図６】図４のＢ−Ｂ断面図である。
【図７】図５のＣ−Ｃ断面図である。
【図８】本発明による床ガードの更に他の実施形態を示す平面図である。
【図９】図８のＤ−Ｄ断面図である。
【図１０】図８のＥ−Ｅ断面図である。
【図１１】本発明による床ガードの更に他の実施形態を示す平面図である。
【図１２】図１１のＦ−Ｆ断面図である。
【図１３】従来の床ガードの一例を示す側面図である。
【発明を実施するための形態】
【００１７】  以下、本発明による床ガードの実施の形態を図１〜図１２に基づき詳細に説明する。
【００１８】  それでは、図１及び図２により本発明による床ガードの基本的な構成について説明する。１は床ガードであって、平面視正方形を呈した平板状の床ガード本体１１と該床ガード本体１１の裏面に接着剤等により取り付け固定された平板状のクッション部１２とで構成されている。床ガード本体１１は、ポリプロピレンを使用しており、クッション部１２は、ポリエチレンの発砲体が使用されている。又、床ガード本体１１の表面側は、凸状周縁部１１１と平坦状凹溝部１１２から成っていて、凸状周縁部１１１が平坦状凹溝部１１２に対して若干高く形成され、剛性アップと共に、使用時に於ける外れ防止を兼ねている。尚、床ガード本体１１の材料としては、ポリプロピレン以外ではポリエチレンやポリカーボネート等の熱可塑性樹脂そしてクッション部１２としては、ポリエチレンの他ウレタンやポリエステル等も使用可能であるので、念のため付言しておくことにする。
【００１９】  こうした構成を有する床ガード１は、机やテーブル等の脚部下方端部と床面との間に介在或いは配設される緩衝部材であるが、特徴的なことは、脚部下方端部が載置される部分即ち平坦状凹溝部１１２の大きさ（面積）が脚部下方端部に於ける床ガード１との当接部分の大きさ（面積）より、比較的大きくなっていることである。平坦状凹溝部１１２は、床ガード１側作用部であり、脚部下方端部に於ける床ガード１との当接部分は、脚部側作用部となり、前記特徴部分を換言すれば、床ガード１側作用部面積が脚部側作用部面積より比較的大きく設定されているということとなる。図１に於ける１３は負荷作用部であって、平坦状凹溝部１１２即ち床ガード１側作用部の一部（好ましくは中央部）に存在し、脚部下方端部が載置される部分を示したものである。
【００２０】  それではここで、机やテーブル等の重量がどのように床面に伝達されるかを説明することにする。机やテーブル等は、４本の脚を有しており、故にそれぞれの脚は、４分の１の重量を負荷することになるが、説明を解りやすくするため、１本の脚が負荷する重量をＸｋｇとして説明する。床面に置いた床ガード１の負荷作用部１３に脚部下方端部を載置すると、負荷作用部１３にはＸｋｇの負荷がかかる。そして、床ガード本体１１は、クッション部１２の反発力を受けながら、負荷作用部１３を中心に床面側に押し込まれる。この時、床ガード１側作用部面積が脚部側作用部面積よりかなり大きく設定されていることから、負荷作用部１３にかかる負荷は分散されると共に、床ガード１自体の反発力が発生し、クッション部１２の反発力と相まって、床面への負荷（圧力）は軽減される。
【００２１】  本発明による床ガードに於いて、床ガード１側作用部面積が脚部側作用部面積よりかなり大きく設定されているということは、既に説明したとおりである。そこで、サンプルによりテストを重ねた結果を説明する。但し、脚部側作用部面積は、机やテーブル等各種調査したところ凡そ２０ｃｍ２〜４０ｃｍ２とバラツキがあるので、その中央値である３０ｃｍ２を使用した。そして、脚部側作用部面積３０ｃｍ２に設定したテスト用の机に安全率を考慮して、２００ｋｇ（脚部１本当たりの負荷５０ｋｇ）の負荷を掛け、その状態で１０日間床ガードサンプルを使用し続けて、テスト後のサンプルの状態をチェックし、サンプルにタワミが生じるか否かを見て、タワミがないものを可とするようにした。
【００２２】  結果として、床ガード本体の材料がポリプロピレン（硬度としては、ゴム硬度計に於いて，８５°〜９０°又曲げ強度に於いては，ＪＩＳＫ７２２１でもって１４．５ＭＰＡ〜１６．５ＭＰＡ）で、クッション部の材料がポリエチレンの発砲体であり、床ガード側作用部面積が１００ｃｍ２（図１に相当する形状で周縁凸状部を含めた状態では１０５ｃｍ×１０５ｃｍ），床ガード本体の厚さは２ｍｍ（周縁凸状部の高さは０．５ｍｍ）そしてクッション部の厚さが３ｍｍであるサンプルが最も良好な結果を得た。この結果からは、作用部面積を取り上げると、脚部側作用部面積３０ｃｍ２に対し、床ガード側作用部面積は１００ｃｍ２が妥当と云うことになる。そこで次に、床ガード側作用部面積はそのままとし、脚部側作用部面積を変化させてテストを実施したところ、脚部側作用部面積が２０ｃｍ２〜４０ｃｍ２の範囲でも比較的良好な結果となった。換言すれば、作用部面積としては、床ガード側作用部面積：脚部側作用部面積の比率が１０：２〜４で良好ということとなる。更に付言すれば、床ガード本体やクッション部の縦および横の大きさや厚さを多少変えることは勿論材料を変えることも可能であり、その場合は、床ガード側作用部面積：脚部側作用部面積の比率を含めて調整することが必要となる。
【００２３】  勿論、床ガードとして必要となる要素は、前述した要素ばかりでなく、クション部の発砲密度等他にもあるが、それらをすべてクリアにして特定する必要性はそれほど高くない。何故なら、使用可能な材料を見ても、前述したようにポリプロピレンやポリエチレンばかりでなく他の材料も可能であり、材料が変われば各要素の条件も多少変わることになる。従って、重要なことは、商品仕様に合わせて要素を選択し、それを基に品質を作り込むことである。
【００２４】  引き続き、図３、図４、図５、図８、図１１に基づき、図６、図７、図９、図１０及び図１２を参照しながら、本発明による床ガードの他の実施形態即ち応用例を説明していくことにするが、これから説明する各実施形態は、すべて前述した床ガード１と基本的な構成に於いて同じであるので、付言して置くことにする。
【００２５】  図３に示す実施形態は、床ガード２の作用部である平坦状凹溝部２１２の中央部に凹凸部２１３を形成したものである。該凹凸部２１３を形成したことにより、使用時即ち机等の脚部下方端部を載置した時のズレを防止することが出来る。机等は通常４脚であり、床面への設置状態は、必ずしもバランスが取れているとは限らず、その為、負荷する重量も各脚で異なっており、負荷する重量がそれ程大きくない時には、床ガードがズレてしまう場合があり、そのような時に凹凸部２１３が機能する。尚、床ガード本体２１の表面側は、凸状周縁部２１１と平坦状凹溝部２１２が形成されていて、裏面には図示しないクッション部が接着剤等により、取り付け固定されているのであるが、凹凸部２１３以外の構成は、前述した床ガード１と同様であるので、詳細説明は省略することにする。
【００２６】  次に、図４に示す実施形態であるが、図６をも参照しながら説明する。本実施形態は、床ガード３の作用部である平坦状凹溝部３１２の中央部に更に浅い平坦状凹溝部３１３を形成したものである。該平坦状凹溝部３１３は、脚部下方端部が載置される部分であり、これにより、ズレ防止が図れるようになる。勿論、平坦状凹溝部３１３の大きさは、いろいろなタイプの脚部下方端部に対応するよう大きめに形成してある。３３は、床ガード３に於ける負荷作用部である。尚、床ガード本体３１の表面側は、凸状周縁部３１１と平坦状凹溝部３１２が形成されていて、裏面にはクッション部３２が取り付け固定されているのであるが、平坦状凹溝部３１３以外の構成は、前述した床ガード１と同様であるので、詳細説明は省略することにする。
【００２７】  図５及び図７により、床ガード４について説明する。本実施形態は、床ガードとしての機能が損なわれない範囲で材料を節減するのを狙ったもので、平板状の床ガード本体４１は、平面視正方形の４角をカットしたような形状となっており、その表面側平坦状部４１２の中央部には平面視正方形を呈した浅い平坦状凹溝部４１１が形成されている。尚、平坦状部４１２は、床ガード１に於ける平坦状凹溝部１１２に相当するものである。前記平坦状凹溝部４１１は、脚部下方端部が載置される部分であり、これにより、ズレ防止が図れるようになる。勿論、平坦状凹溝部４１１の大きさは、いろいろなタイプの脚部下方端部に対応するよう大きめに形成している。４３は、床ガード４に於ける負荷作用部である。そして、前記床ガード本体４１の裏面には、クッション部４２が取り付け固定されている。
【００２８】  続いて、図８を基に図９と図１０を参照しながら床ガード５について説明することにする。床ガード本体５１は、平面視正方形の平板状を呈し、その表面側平坦状部５１３の中央部には、平面視正方形で浅い溝である平坦状凹溝部５１２が形成されており、該平坦状凹溝部５１２の角部と床ガード本体５１の角部との間には、図８で理解できるように、孔明解放部５１１が形成されている。勿論、平坦状部５１３は、床ガード１に於ける平坦状凹溝部１１２に相当するものである。床ガード本体５１の裏面には、云うまでもなく、クッション部５２が接着剤等でもって取り付け固定されており、床ガード本体５１に於ける孔明解放部５１１に相当する部分には、同様に孔明解放部５２１が形成されている。孔明解放部５１１及び５２１は、材料節減を狙ったものであるが、床ガードとしての機能が損なわれない範囲で形成されているのは当然である。そして平坦状凹溝部５１２の大きさは、いろいろなタイプの脚部下方端部に対応するよう大きめに形成されている。５３は、床ガード５に於ける負荷作用部である。
【００２９】  前述した床ガード４及び５は、既に説明したように、主として材料節減を狙ったものであるが、その方法は、実施形態として説明した方法に限定されるものではなく、他の方法であっても良いのは云うまでもないことである。
【００３０】  図１１に示す実施形態は、平面視形状が円形を呈していることを除けば、前述した床ガード１と全く同じである。これは、本発明による床ガードが平面視に於ける形状にあまり影響されないことを意味し、必要に応じてバリエーション化を図ることが出来るようになる。又、本実施形態は、円形であるので使用時に位置がズレたり変化しても見栄えが損なわれないという効果もある。６は、床ガードであり、周縁凸状部６１１と平坦状凹溝部６１２から成る床ガード本体６１と該床ガード本体６１の裏面に接着剤等で取り付け固定されたクッション部６２から形成されている。６３は、負荷作用部である。
【００３１】  本発明による床ガードは、机やテーブル等の脚部下方端部と床面との間に介在或いは配設される緩衝部材であるとして説明したが、机やテーブルだけではなく、例えば冷蔵庫や棚等にも使用可能であるので、念のため付言して置くことにする。
【符号の説明】
【００３２】１，２，３，４，５，６  床ガード                    ５１１  孔明解放部
１１，２１，３１，４１，５１，６１  床ガード本体    ５１２  平坦状凹溝部
１１１，２１１，３１１，６１１  凸状周縁部          ５１３  平坦状部
１１２，２１２，３１２，６１２  平坦状凹溝部        ４１２  平坦状部
１２，３２，４２，５２，６２  クッション部          ５２１  孔明解放部
１３，３３，４３，５３，６３  負荷作用部            ７  床ガード
２１３  凹凸部                                      ８  脚部
３１３  平坦状凹溝部
４１１  平坦状凹溝部
【図１】
2011156322.tif 000003
【図２】
2011156322.tif 000004
【図３】
2011156322.tif 000005
【図４】
2011156322.tif 000006
【図５】
2011156322.tif 000007
【図６】
2011156322.tif 000008
【図７】
2011156322.tif 000009
【図８】
2011156322.tif 000010
【図９】
2011156322.tif 000011
【図１０】
2011156322.tif 000012
【図１１】
2011156322.tif 000013
【図１２】
2011156322.tif 000014
【図１３】
2011156322.tif 000015